(57)【要約】【課題】顧客のイメージに沿った設計図を容易に作成できる設計システムを提供すること。【解決手段】設計システムは、ユニット式建物の設計作業を支援し、建物の設計図を部品を用いて作成する１階平面図設計手段３２１、２階平面図設計手段３２２、および立面図設計手段３２３を有し、これら設計手段３２１〜３２３は、建物についての選択可能な複数のイメージを選択リストとして表示するイメージリスト表示手段４１と、選択リストの中から１つのイメージが選択されると、この選択されたイメージを建物のイメージとして設定するイメージ設定手段４２と、この設定されたイメージに沿った仕様の部品を設計図上に図形表示する部品図形表示手段４３とを備えている。【選択図】図３
2004199612.tif 000002
【特許請求の範囲】
【請求項１】
建物の設計作業を支援する設計システムであって、
前記建物の設計図を部品を用いて作成する設計手段を有し、
この設計手段は、前記建物についての選択可能な複数のイメージを選択リストとして表示するイメージリスト表示手段と、
前記選択リストの中から１つのイメージが選択されると、この選択されたイメージを前記建物のイメージとして設定するイメージ設定手段と、
この設定されたイメージに沿った仕様の部品を前記設計図上に図形表示する部品図形表示手段とを備えていることを特徴とする設計システム。
【請求項２】
請求項１に記載の設計システムにおいて、
前記部品表示手段で表示される部品は、予め標準指定された標準仕様であることを特徴とする設計システム。
【請求項３】
建物の設計作業を支援する設計方法であって、
前記建物の設計図を部品を用いて作成する設計手順を有し、
この設計手順は、前記建物についての選択可能な複数のイメージを選択リストとして表示するイメージリスト表示手順と、
前記選択リストの中から１つのイメージが選択されると、この選択されたイメージを前記建物のイメージとして設定するイメージ設定手順と、
この設定されたイメージに沿った仕様の部品を前記設計図上に図形表示する部品表示手順とを備えていることを特徴とする設計方法。
【請求項４】
請求項３に記載の設計方法において、
前記部品表示手順で表示される部品は、予め標準指定された標準仕様であることを特徴とする設計方法。
【請求項５】
請求項３または４に記載の設計方法を、コンピュータに実行させるためのプログラム。
【請求項６】
請求項３または４に記載の設計方法を、コンピュータに実行させるためのプログラムを記録したコンピュータ読取可能な記録媒体。
【発明の詳細な説明】
【０００１】
【発明の属する技術分野】
本発明は、建物の設計作業を支援する設計システム、設計方法、コンピュータプログラムおよび記録媒体に関する。
【０００２】
【背景技術】
従来より、プレハブ住宅は、大量生産のメリットを維持しつつ、建物の外観や間取りに顧客の意向を最大限に反映させるため、次の手順で建築される。
顧客は、プレハブ住宅の設計および施工を行うディーラ（発注者）と打合せを行い、自らが求めるレイアウトや設備等の仕様をまとめた設計図と、この設計図に基づく見積りとを作成させる。次に、顧客は、設計図および見積りを検討して、ディーラと契約する。顧客との契約が完了すると、ディーラは、メーカ（製造者）にプレハブ住宅の部品を発注し、このメーカから受け取った部品を用いて、設計図に従ってプレハブ住宅を建築し、顧客に引き渡す。
なお、ディーラでは、専門的知識を有するディーラの営業担当者が顧客に対応し、顧客の意向を設計図として表現する。この場合、設計図を作成するために、例えばＣＡＤシステムが利用される（例えば、特許文献１参照）。
【０００３】
【特許文献１】
特開２００２−２３６７１６
【０００４】
【発明が解決しようとする課題】
しかしながら、ディーラが設計図を作成する際、設計図上に配置される部品の種類は多岐に渡るため、全ての部品について顧客のイメージに沿った仕様のものを適切に選択することは困難であった。
【０００５】
本発明の目的は、顧客のイメージに沿った設計図を容易に作成できる設計システム、設計方法、コンピュータプログラムおよび記憶媒体を提供することにある。
【０００６】
【課題を解決するための手段】
上記目的を達成するため、本発明の設計システム、設計方法、コンピュータプログラムおよび記録媒体は、次の構成を採用する。
本発明を図面を参照して説明すると、請求項１に記載の設計システム１は、建物１９の設計作業を支援する設計システムであって、前記建物の設計図を部品を用いて作成する設計手段３２を有し、この設計手段は、前記建物についての選択可能な複数のイメージを選択リスト７１として表示するイメージリスト表示手段４１と、前記選択リストの中から１つのイメージが選択されると、この選択されたイメージを前記建物のイメージとして設定するイメージ設定手段４２と、この設定されたイメージに沿った仕様の部品７３〜７８を前記設計図上に図形表示する部品図形表示手段４３とを備えていることを特徴とする。
【０００７】
この発明によれば、選択リストの中からイメージを選択するだけで、この選択されたイメージが建物のイメージとして設定されて、設定されたイメージに沿った仕様の部品のみが、平面図や立面図等の設計図上に図形表示される。したがって、これら図形表示された部品を組み合わせて設計図を作成することにより、顧客のイメージに沿った建物の設計図を容易に作成できる。
【０００８】
請求項２に記載の設計システムは、請求項１に記載の設計システムにおいて、前記部品表示手段で表示される部品は、予め標準指定された標準仕様であることを特徴とする。
この発明によれば、各部品について顧客の意向と標準仕様とを比較し、顧客の意向に反しない仕様についてはそのまま標準仕様とすることにより、顧客と営業担当者との打合せ時間を短縮して、設計図を迅速に作成できる。
【０００９】
請求項３または４に記載の設計方法は、請求項１または２に記載の設計システムを、設計方法として展開したものである。
この発明によれば、請求項１または２と同様の効果を奏することができる。
【００１０】
請求項５に記載のプログラムは、請求項３または４に記載の設計方法を、コンピュータに実行させるプログラムである。
請求項６に記載の記録媒体は、請求項３または４に記載の設計方法を、コンピュータに実行させるためのプログラムを記録したコンピュータ読取可能な記録媒体である。
この発明によれば、本発明のプログラムを汎用のコンピュータにインストールすることにより、請求項３または４に記載の設計方法をディーラと等のコンピュータに実行させることができるため、本発明の利用促進を大幅に図ることができる。
【００１１】
【発明の実施の形態】
以下、本発明の一実施形態を図面に基づいて説明する。
図１には、顧客との契約から住宅の引き渡しまでの手続きが示されている。
ディーラ１０には、専門知識を有する一級建築士等の営業担当者１２が配置されている。営業担当者１２は、顧客１１との打合せを複数回行い、その都度、ＣＡＤシステム１で設計図を作成する。なお、この打合せでは、営業担当者１２のほか、顧客１１の意向を設計図に反映するために施工担当者が適宜同席する。顧客１１との契約完了後、営業担当者１２は、ＣＡＤシステム１で作成した最終設計図に従って、部品情報を書類またはインターネットを介してメーカの工場１８に送る。
工場１８では、部品情報に基づいて部品の確保、製造が行われ、製造された部品は建築現場に運搬される。
ディーラは、建築現場で部品を受け取り、仕様情報に従ってユニット式建物１９を建築する。
【００１２】
図２には、ＣＡＤシステム１のブロック図が示されている。
ＣＡＤシステム１は、直方体状の骨組を有する建物ユニットを複数組み合わせて形成されるユニット式建物について、顧客の要求に応じたユニット式建物の設計作業を支援するものである。
ＣＡＤシステム１には、本システムの核となるコンピュータ本体６と、ＣＲＴ表示装置２と、コンピュータ本体６等の操作を行うための入力装置３と、設計した平面図等を製図するＸ−Ｙプロッタ装置４と、設計した建物についてのデータ等を印字するプリンタ５とが設けられている。
【００１３】
コンピュータ本体６は、記憶装置であるハードディスク装置２０と、各種の処理を行う演算装置であるＣＰＵ３０とを含んで構成されたものである。
このうち、ハードディスク装置２０には、記憶される情報の属性毎に複数の記憶領域が設定されている。
これらの記憶領域としては、ユニット式建物を構築するための部品に関する部品データが蓄積された部品情報蓄積手段２１と、設計されたユニット式建物の部品、部材および工賃の価格等に関する価格データが蓄積された積算情報蓄積手段２２とが設けられている。
【００１４】
ＣＰＵ３０は、各種のソフトウェアがインストールされ、これらのソフトウェアを並列処理するマルチタスク機能を有するものである。
ＣＰＵ３０には、ソフトウェアにより、部品情報蓄積手段２１に蓄積された部品データを用いて、ユニット式建物についての建物情報を設定する建物情報設定手段３１と、この建物情報に基づき、部品情報蓄積手段２１に蓄積された部品データを用いて、ユニット式建物の設計を行う設計手段３２と、この設計手段３２で設計したユニット式建物について、建物情報に基づいて積算情報蓄積手段２２に蓄積された価格データを用いて積算する積算手段３３とが設けられている。
【００１５】
なお、ＣＰＵ３０には、以上の手段３１〜３３のほかに、部品情報蓄積手段２１および積算情報蓄積手段２２に蓄積されたデータの入出力を管理するとともに、建物情報設定手段３１で作成された建物情報、設計手段３２で設計された設計データ、および積算手段３３で積算された積算データの管理を行う情報管理手段３４が設けられている。
【００１６】
建物情報設定手段３１には、鑑情報設定手段３１１と、積算固有データ設定手段３１２と、ディーラ固有データ設定手段３１３とが設けられている。
鑑情報設定手段３１１は、ユニット式建物の周辺情報を設定するものである。例えば、顧客の氏名、建築地等の顧客情報や、ディーラの名称、施工担当者名、営業担当者名等の関係者情報を設定するものである。
積算固有データ設定手段３１２は、ユニット式建物の構造に関する積算用のデータを設定するものである。例えば、外壁、内壁、天井、床等の構造や、その構造材の発注の有無を設定するものである。
ディーラ固有データ設定手段３１３は、通常は工場で手配する各部品を、例外的にディーラで準備する場合にその設定を行うものである。
【００１７】
設計手段３２には、１階平面図設計手段３２１と、２階平面図設計手段３２２と、立面図設計手段３２３とが設けられている。１階平面図設計手段３２１および２階平面図設計手段３２２は、部品情報蓄積手段２１に蓄積された部品データを読み出し、読み出した部品を組み合わせて平面図を作成するものであり、立面図設計手段３２３は、部品情報蓄積手段２１に蓄積された部品データを読み出し、読み出した部品を組み合わせて立面図を作成するものである。
ここで、各階平面図設計手段３２１、３２２および立面図設計手段３２３には、図３に示すように、イメージリスト表示手段４１と、イメージ設定手段４２と、部品図形表示手段４３とが設けられている。
【００１８】
イメージリスト表示手段４１は、ユニット式建物について選択可能な複数のイメージを選択リストとして表示するものである。具体的なイメージとしては、「和風」、「洋風」等が挙げられる。
イメージ設定手段４２は、イメージリスト表示手段４１で表示された選択リストの中から１つのイメージが選択されると、この選択されたイメージをユニット式建物のイメージとして設定するものである。
部品図形表示手段４３は、選択リストの中から１つのイメージが選択されると、この選択されたイメージに沿った仕様の部品を、平面図および立面図上に図形表示するものである。このような部品としては、具体的には、バルコニー、庇等のエクステリア、玄関、外部サッシ、内部建具等の建具、階段、壁床仕上等の内装材、キッチン、バス、洗面等の設備、家具、カーテン等のインテリアが挙げられる。また、これら部品は、予め標準指定された標準仕様である。
【００１９】
次に、ディーラの営業担当者１２がユニット式建物１９の１階平面図を設計する手順について、図４〜６を参照しながら説明する。なお、２階平面図および立面図についても、同様の手順で設計する。
まず、１階平面図設計手段３２１を起動させると、ＣＲＴ表示装置２の画面中央に１階平面図５１が表示される。なお、１階平面図５１において、外壁および内壁の作図が完了した状態となっている。
【００２０】
この状態から、具体的なユニット式建物１９のイメージに沿って部品を配置する手順について説明する。
イメージリスト表示手段４１を起動させると、図４左上に示すように、ＣＲＴ表示装置２の画面上に、建物のイメージとして「洋風」と表示されたイメージ欄７０が設けられる。このイメージ欄７０をマウスでクリックすると、「和風」および「洋風」が表示された選択リスト７１が表示される。なお、選択リストとしては、「和風」、「洋風」に限らず、「イタリア風」、「フランス風」、「ドイツ風」等を設けてもよい。
【００２１】
ここでは、選択リスト７１の中から「和風」を選択する。すると、イメージ設定手段４２によって、選択された和風イメージがユニット式建物１９のイメージとして設定される。同時に、部品図形表示手段４３によって、図５に示すように、設定されたイメージに沿った部品、ここでは、サッシ・扉等の開口部材７３、キッチン７４、バス７５、洗面台７６、トイレ７７、階段７８等がユニット式建物１９の周囲に表示される。これらの部品７２〜７８の一部をマウスで押さえながら移動させて、外壁または内壁のうち任意の位置に移動して配置する。
以上の手順を繰り返すことにより、各部品を配置し、図６に示すように、１階平面図を設計する。
【００２２】
このような本実施形態によれば以下ような効果がある。
（１）設計手段３２１〜３２３に、イメージリスト表示手段４１と、イメージ設定手段４２と、部品図形表示手段４３とを設けたので、選択リスト７１の中から「和風」を選択するだけで、この選択された「和風」がユニット式建物１９のイメージとして設定されて、設定されたイメージに沿った仕様の部品７３〜７８のみが、１階平面図５１上に図形表示される。したがって、これら図形表示された部品７３〜７８を組み合わせて設計図を作成することにより、顧客のイメージに沿った建物の設計図を容易に作成できる。
【００２３】
（２）各部品７３〜７８について顧客の意向と標準仕様とを比較し、顧客の意向に反しない仕様についてはそのまま標準仕様とすることにより、顧客と営業担当者との打合せ時間を短縮して、１階平面図５１を迅速に作成できる。
【００２４】
なお、本発明は前記実施形態に限定されるものではなく、本発明の目的を達成できる範囲での変形、改良等は本発明に含まれるものである。
例えば、本実施形態では、ユニット工法で建築されるユニット式建物１９を設計したが、これに限らず、パネル工法、在来工法で建築される建物に用いてもよい。その他、ＲＣ造、ＳＲＣ造、Ｓ造等で建築される高層ビルやマンション等に用いてもよい。
【００２５】
【発明の効果】
本発明の設計システム、設計方法、コンピュータプログラムおよび記録媒体によれば、次のような効果が得られる。
請求項１に記載の設計システムによれば、選択リストの中からイメージを選択するだけで、この選択されたイメージが建物のイメージとして設定されて、設定されたイメージに沿った仕様の部品のみが、平面図や立面図等の設計図上に図形表示される。したがって、これら図形表示された部品を組み合わせて設計図を作成することにより、顧客のイメージに沿った建物の設計図を容易に作成できる。
【００２６】
請求項２に記載の設計システムによれば、各部品について顧客の意向と標準仕様とを比較し、顧客の意向に反しない仕様についてはそのまま標準仕様とすることにより、顧客と営業担当者との打合せ時間を短縮して、設計図を迅速に作成できる。
【００２７】
請求項３または４に記載の設計方法によれば、請求項１または２と同様の効果を奏することができる。
【００２８】
請求項５に記載のプログラムおよび請求項６に記載の記録媒体によれば、本発明のプログラムを汎用のコンピュータにインストールすることにより、請求項３または４に記載の設計方法をディーラ等とのコンピュータに実行させることができるため、本発明の利用促進を大幅に図ることができる。
【図面の簡単な説明】
【図１】本発明の一実施形態に係る設計システムが用いられる手続きを示す図である。
【図２】前記実施形態に係る設計システムのブロック図である。
【図３】前記実施形態に係る設計システムで設計手段のブロック図である。
【図４】前記実施形態に係る選択リストが表示された状態を示す図である。
【図５】前記実施形態に係る建物の部品が表示された状態を示す図である。
【図６】前記実施形態に係る建物の１階平面図の作成が完了した状態を示す図である。
【符号の説明】
１      設計システム
１９      建物としてのユニット式建物
３２      設計手段
４１      イメージリスト表示手段
４２      イメージ設定手段
４３      部品図形表示手段
７１      選択リスト
７３      部品としての開口部材
７４      部品としてのキッチン
７５      部品としてのバス
７６      部品としての洗面台
７７      部品としてのトイレ
７８      部品としての階段
【図１】
2004199612.tif 000003
【図２】
2004199612.tif 000004
【図３】
2004199612.tif 000005
【図４】
2004199612.tif 000006
【図５】
2004199612.tif 000007
【図６】
2004199612.tif 000008